(57)【要約】【課題】端子台にアクセス可能な開口の下方が開放している場合であってもフロントパネルの剛性の低下を抑制することができる空気調和装置の室内機を提供する。【解決手段】本体に電気系統の接続端子が設けられた端子台と、本体の前面側に位置するとともに、端子台の前面側に形成されて一側が開放した開口を有するフロントパネル３と、開口を覆いフロントパネル３に対して着脱可能に設けられたカバー部７と、フロントパネル３の下方に着脱可能に設けられ、開口の一側の開放を閉じるボトムパネル６を備えている。【選択図】図２
2018189279.tif 000002
【特許請求の範囲】
【請求項１】
本体に電気系統の接続端子が設けられた端子台と、
前記本体の前面側に位置するとともに、前記端子台の前面側に形成されて一側が開放した開口を有するフロントパネルと、
前記開口を覆い前記フロントパネルに対して着脱可能に設けられたカバー部と、
を備えていることを特徴とする空気調和装置の室内機。
【請求項２】
前記フロントパネルの下方に着脱可能に設けられ、前記開口の一側の開放を閉じるボトムパネルを備えていることを特徴とする請求項１に記載の空気調和装置の室内機。
【請求項３】
前記ボトムパネルを前記フロントパネルから取り外した位置に、ドレンホースの接続口が設けられていることを特徴とする請求項２に記載の空気調和装置の室内機。
【請求項４】
前記カバー部と前記ボトムパネルとは、それぞれ独立して前記フロントパネルに対して着脱可能とされていることを特徴とする請求項２又は３に記載の空気調和装置の室内機。
【発明の詳細な説明】
【技術分野】
【０００１】
本発明は、端子台にアクセス可能な開口を備えた空気調和装置の室内機に関するものである。
【背景技術】
【０００２】
空気調和装置の室内機は、内部に熱交換器やファンを備えており、これらを外方から覆う種々のパネルを備えている（例えば特許文献１）。
【先行技術文献】
【特許文献】
【０００３】
【特許文献１】特開２０１２−１１２６０１号公報
【発明の概要】
【発明が解決しようとする課題】
【０００４】
空気調和装置の室内機には、電気系統の接続端子が設けられた端子台が設けられている。作業者が端子台にアクセスすることが可能なように、端子台の前面側に対応する位置に、フロントパネルに対して開口を形成する必要がある。そして、下方を開放した開口とすることで、下方からのアクセス性を向上することができる。しかし、下方を開放した開口とすると、フロントパネルの開口において剛性が低下する。
【０００５】
本発明は、このような事情に鑑みてなされたものであって、端子台にアクセス可能な開口の下方が開放している場合であってもフロントパネルの剛性の低下を抑制することができる空気調和装置の室内機を提供することを目的とする。
【課題を解決するための手段】
【０００６】
上記課題を解決するために、本発明の空気調和装置の室内機は以下の手段を採用する。
すなわち、本発明にかかる空気調和装置の室内機は、本体に電気系統の接続端子が設けられた端子台と、前記本体の前面側に位置するとともに、前記端子台の前面側に形成されて一側が開放した開口を有するフロントパネルと、前記開口を覆い前記フロントパネルに対して着脱可能に設けられたカバー部とを備えていることを特徴とする。
【０００７】
端子台の前面側に開口を有するフロントパネルとすることで、作業者が開口を介して端子台にアクセスすることができる。また、一側が開放された開口とされているので、作業者が端子台にアクセスする際に容易となる一方で、開口の一側が開放されているのでフロントパネルの剛性が低くなる。そこで、本発明では、開口を覆うカバー部を設けることで、フロントパネルの開口における剛性の低下を抑制することができる。また、着脱可能とされたカバー部を外すことによって、作業者は端子台にアクセスすることができる。
なお、一側が開放された開口は、例えば、基端部から略平行に一側へと延在する２つの突出部を設けて門型形状とすることによって形成することができる。
【０００８】
さらに、本発明の空気調和装置の室内機では、前記フロントパネルの下方に着脱可能に設けられ、前記開口の一側の開放を閉じるボトムパネルを備えていることを特徴とする。
【０００９】
フロントパネルの下方に着脱可能にボトムパネルを設けることによって、ボトムパネルを取り外すことで作業者がフロントパネルの下方に容易にアクセスすることができる。また、ボトムパネルは、開口の一側の開放を閉じるように設けられているので、開口における剛性を向上させることができる。
【００１０】
さらに、本発明の空気調和装置の室内機では、前記ボトムパネルを前記フロントパネルから取り外した位置に、ドレンホースの接続口が設けられていることを特徴とする。
【００１１】
ボトムパネルをフロントパネルから取り外した位置に、ドレンホースの接続口を設けることとしたので、作業者はボトムパネルを取り外すだけでドレンホースの接続口にアクセスすることができる。
【００１２】
さらに、本発明の空気調和装置の室内機では、前記カバー部と前記ボトムパネルとは、それぞれ独立して前記フロントパネルに対して着脱可能とされていることを特徴とする。
【００１３】
カバー部とボトムパネルとを、それぞれ独立してフロントパネルに対して着脱可能とすることとした。これにより、作業者はカバー部とボトムパネルの両方を取り外す必要はなく、作業内容に応じてカバー部またはボトムパネルを取り外せば良い。
【発明の効果】
【００１４】
開口を覆うカバー部を設けることとしたので、端子台にアクセス可能な開口の下方が開放している場合であってもフロントパネルの剛性の低下を抑制することができる。
【図面の簡単な説明】
【００１５】
【図１】本発明の一実施形態に係る空気調和装置の室内機を示した斜視図である。
【図２】カバー部とボトムパネルをフロントパネルから取り外し、これらが離間した状態を示した斜視図である。
【図３】カバー部とボトムパネルをフロントパネルから取り外した状態を示した斜視図である。
【図４】フロントパネルからカバー部を外す途中の状態を示し、カバー部を上方から見た部分拡大斜視図である。
【図５】フロントパネルからカバー部を外す途中の状態を示し、フロントパネルの内側から見た部分拡大斜視図である。
【発明を実施するための形態】
【００１６】
以下に、本発明にかかる一実施形態について、図面を参照して説明する。
図１には、空気調和装置の室内機１の外観が示されている。室内機１は、壁掛形とされており、上方から室内空気を吸い込み、下方から室内へと空調後の空気を吹き出す。室内機１は、図示しない室外機と接続されており、室外機にて圧縮された冷媒の供給を受け、室内機１の内部に設けられた室内熱交換器によって室内の空気を所定温度に調整する。
【００１７】
室内機１は、室内熱交換器やファンが取り付けられた本体を覆うように前面側にフロントパネル３を備えている。フロントパネル３は、樹脂製とされており、室内の壁面に固定された図示しないベースプレートに対して固定されている。フロントパネル３の前方には、化粧パネル４が取り付けられている。
【００１８】
図２には、図１に示した室内機１を斜め下方から見た斜視図が示されている。同図に示すように、化粧パネル４の下方にはフラップ５が設けられている。このフラップ５が開くことによって空調後の空気が吹き出される。
【００１９】
フラップ５の下方には、樹脂製とされたボトムパネル６が設けられている。図２においては、ボトムパネル６がフロントパネル３から取り外された状態が示されているが、図１に示したような組み立てられた状態では、ボトムパネル６はフロントパネル３に対して固定されている。ボトムパネル６は、フロントパネル３と同等の幅を有し、両側部には爪６ａが設けられている。ボトムパネル６の両側の爪６ａがフロントパネル３に対して係合することによって、ボトムパネル６がフロントパネル３に対して着脱可能に取り付けられるようになっている。
【００２０】
図２のように、室内機１を正面から見た場合の右方には、樹脂製とされたカバー部７が設けられている。カバー部７の下端は、ボトムパネル６の上端と一致するように設けられている。カバー部７は、電気系統の接続端子が設けられた端子台８（図３参照）の前方を覆うように設けられている。なお、端子台８が室内機１の左方に設けられている場合には、カバー部７は左方に設けられる。
【００２１】
図３には、フロントパネル３からボトムパネル６及びカバー部７を取り外した状態が示されている。上述のように、室内機１の右方には端子台８が設けられている。端子台８の左方には、下方を向いて開口するドレンホース接続口９が設けられている。ドレンホース接続口９には、図示しないドレンホースが接続される。ドレンホース接続口９には、室内機１内の室内熱交換器等にて凝縮したドレン水が導かれるようになっている。ドレンホース接続口９に対しては、ボトムパネル６をフロントパネル３から取り外すことによってアクセスが容易となっている。
【００２２】
フロントパネル３は、端子台８の前面側に開口１０を有している。開口１０は、図４に拡大して示されているように、フロントパネル３の基端部からフロントパネル３の側部に沿って延在する第１突出部３ａと、第１突出部３ａと略平行に間隔を空けて延在する第２突出部３ｂとの間に形成されている。したがって、開口１０は、第１突出部３ａと第２突出部３ｂによって形成された門型形状の間に形成された窓とされており、その一側１０ａは開放されている。
【００２３】
図４及び図５に示されているように、カバー部７は、開口１０を覆うようにフロントパネル３に対して着脱可能に取り付けられている。具体的には、カバー部７の一端に設けた爪（図示せず）を突出部３ａ，３ｂの先端部に設けた係合溝３ａ１，３ｂ１に係合させ、ここを回動中心としてカバー部７を回動させて、カバー部７の他端に設けた爪７ａをフロントパネル３の係合溝（図示せず）に係合させることによって固定する。このように、カバー部７は、ボトムパネル６とは独立してフロントパネル３に対して着脱可能とされている。
【００２４】
図２に示したように、ボトムパネル６の上端はカバー部７の下端と一致するように設けられている。したがって、ボトムパネル６をフロントパネル３に取り付けた際には、ボトムパネル６によって開口１０の一側１０ａの開放が閉じられるようになっている。
【００２５】
上述の室内機１によれば、以下の作用効果を奏する。
端子台８の前面側に開口１０を有するフロントパネル３とすることで、作業者が開口１０を介して端子台８にアクセスすることができる。また、一側１０ａが開放された開口１０とされているので、作業者が端子台８にアクセスする際に容易となる一方で、開口１０の一側１０ａが開放されているのでフロントパネル３の剛性が低くなる。これに対して、開口１０を覆うカバー部７を設けることとしたので、フロントパネル３の開口１０における剛性の低下を抑制することができる。また、着脱可能とされたカバー部７を外すことによって、作業者は端子台８に容易にアクセスすることができる。
【００２６】
フロントパネル３の下方に着脱可能にボトムパネル６を設けることによって、ボトムパネル６を取り外すことで作業者がフロントパネル３の下方に容易にアクセスすることができる。また、ボトムパネル６は、開口１０の一側１０ａの開放を閉じるように設けられているので、開口１０における剛性を向上させることができる。
【００２７】
ボトムパネル６をフロントパネル３から取り外した位置に、ドレンホース接続口９を設けることとしたので、作業者はボトムパネル６を取り外すだけでドレンホース接続口９にアクセスすることができる。
【００２８】
カバー部７とボトムパネル６とを、それぞれ独立してフロントパネル３に対して着脱可能とすることとした。これにより、作業者はカバー部７とボトムパネル６の両方を取り外す必要はなく、作業内容に応じてカバー部７またはボトムパネル６を取り外せば良い。
【符号の説明】
【００２９】
１  室内機
３  フロントパネル
３ａ  第１突出部
３ａ１  係合溝
３ｂ  第２突出部
３ｂ１  係合溝
４  化粧パネル
５  フラップ
６  ボトムパネル
６ａ  爪
７  カバー部
７ａ  爪
８  端子台
９  ドレンホース接続口
１０  開口
１０ａ  一側
【図１】
2018189279.tif 000003
【図２】
2018189279.tif 000004
【図３】
2018189279.tif 000005
【図４】
2018189279.tif 000006
【図５】
2018189279.tif 000007